【誤訳訂正書】
【提出日】平成20年3月27日(2008.3.27)
【誤訳訂正１】
【訂正対象書類名】特許請求の範囲
【訂正対象項目名】全文
【訂正方法】変更
【訂正の内容】
【特許請求の範囲】
【請求項１】
ステントであって、
前記ステントは、
血液親和性(hemocompatible)膜、ならびに、共有および／または接着結合する、少なくとも１の、抗増殖性(antiproliferative)、抗炎症性(antiinflammatory)、および／または、抗血栓性(antithrombotic)の活性物質（active agent）を含む、少なくとも第２の近接する膜(second adjacent layer)によりコートされること、
を特徴とするもの。
【請求項２】
請求項１のステントにおいて、
前記活性物質は、
シロリムス（ラパマイシン）、エベロリムス、ソマトスタチン、タクロリムス、ロキシスロマイシン、ドウナイマイシン（ｄｕｎａｉｍｙｃｉｎ）、アスコマイシン、バフィロマイシン、エリスロマイシン、ミデカマイシン、ジョサマイシン、コンカナマイシン、クラリスロマイシン、トロレアンドマイシン、フォリマイシン（ｆｏｌｉｍｙｃｉｎ）、セリバスタチン、シンバスタチン、ロバスタチン、フルバスタチン、ロスバスタチン、アトルバスタチン、プラバスタチン、ピタバスタチン、ビンブラスチン、ビンクリスチン、ビンデシン、ビノレルビン、エトポシド、テニポシド（ｔｅｎｉｐｏｓｉｄｅ）、ニムスチン、カルムスチン、ロムスチン、シクロホスファミド、４−ヒドロキシオキシシクロホスファミド、エストラムスチン、メルファラン、イホスファミド、トロフォスファミド（ｔｒｏｆｏｓｆａｍｉｄｅ）、クロランブシル、ベンダムスチン（ｂｅｎｄａｍｕｓｔｉｎｅ）、ダカルバジン、ブスルファン、プロカルバジン、トレオスルファン（ｔｒｅｏｓｕｌｆａｎ）、テモゾロマイド、チオテパ、ダウノルビシン、ドキソルビシン、アクラルビシン、エピルビシン、ミトキサントロン、イダルビシン、ブレオマイシン、マイトマイシン、ダクチノマイシン、メトトレキセート、フルダラビン、フルダラビン−５’−リン酸二水素、クラドリビン、メルカプトプリン、チオグアニン、シタラビン、フルオロウラシル、ゲムシタビン、カペシタビン、ドセタキセル、カルボプラチン、シスプラチン、オキサリプラチン、アムサクリン、イリノテカン、トポテカン、ヒドロキシカルバミド、ミルテフォシン、ペントスタチン、アルデスロイキン（ａｌｄｅｓｌｅｕｋｉｎ）、トレチノイン、アスパラギナーゼ、ペガスパラーゼ（ｐｅｇａｓｐａｒａｓｅ）、アナストロゾール、エキセメスタン、レトロゾール、フォルメスタン（ｆｏｒｍｅｓｔａｎｅ）、アミノグルテチミド、アドリアマイシン、アジスロマイシン、スピラマイシン、セファランチン（ｃｅｐｈａｒａｎｔｉｎ）、ｓｍｃ増殖阻害剤（ｓｍｃ ｐｒｏｌｉｆｅｒａｔｉｏｎ ｉｎｈｉｂｉｔｏｒ）−２ｗ、エポシロンＡおよびＢ、ミトキサントロン、アザチオプリン、マイコフェノールアトモフェチル（ｍｙｃｏｐｈｅｎｏｌａｔｍｏｆｅｔｉｌ）、ｃ−ｍｙｃ−アンチセンス、ｂ−ｍｙｃ−アンチセンス、ベツリニック酸（ｂｅｔｕｌｉｎｉｃ ａｃｉｄ）、カンプトセシン、ラパコール、β−ラパコン（ｌａｐａｃｈｏｎｅ）、ポドフィロトキシン、ベツリン（ｂｅｔｕｌｉｎ）、ポドフィリック酸（ｐｏｄｏｐｈｙｌｌｉｃ ａｃｉｄ） ２−エチルヒドラジド、モルグラモスティム（ｍｏｌｇｒａｍｏｓｔｉｍ）（ｒｈｕＧＭ−ＣＳＦ）、ペグインターフェロン ａ−２ｂ、レノグラスチム （ｒ−ＨｕＧ−ＣＳＦ）、フィルグラスチム、マクロゴール、ダカルバジン、バシリキシマブ、ダシリツマブ（ｄａｃｌｉｚｕｍａｂ）、セレクチン （サイトカイン アンタゴニスト）、ＣＥＴＰ阻害剤、カドヘリン（ｃａｄｈｅｒｉｎｅｓ）、サイトカイニン阻害剤、ＣＯＸ−２阻害剤、ＮＦｋＢ、アンギオペプチン（ａｎｇｉｏｐｅｐｔｉｎ）、シプロフロキサシン、カンプトセシン、フルロブラスチン（ｆｌｕｒｏｂｌａｓｔｉｎ）、筋細胞の増殖を阻害す���モノクローナル抗体、ｂＦＧＦアンタゴニスト、プロブコール、プロスタグランジン、１、１１−ジメトキシカンシン（ｄｉｍｅｔｈｏｘｙｃａｎｔｈｉｎ）−６−オン、１−ヒドロキシ−１１−メトキシカンチン（ｍｅｔｈｏｘｙｃａｎｔｈｉｎ）−６−オン、スコポレティン、コルヒチン、例えばペンタエリスリトール四硝酸エステル（ｔｅｔｒａｎｉｔｒａｔｅ）およびシンドノエイミン（ｓｙｎｄｎｏｅｉｍｉｎｅｓ）のようなＮＯ供与体（一酸化窒素供与体）、Ｓ−ニトロソデリバティブ（ｎｉｔｒｏｓｏｄｅｒｉｖａｔｉｖｅｓ）、タモキシフェン、スタウロスポリン、β−エストラジオール、ａ−エストラジオール、エストリオール、エストロン、エチニルエストラジオール、ホスフェストロール、メドロキシプロゲステロン、エストラジオール シピオネイト（ｃｙｐｉｏｎａｔｅｓ）、エストラジオール ベンゾアート、トラニラスト、カメバコーリン（ｋａｍｅｂａｋａｕｒｉｎ）、および、癌の治療に利用されるその他のテルペノイド、ベラパミル、チロシンキナーゼ阻害剤（チルフォスチン（ｔｙｒｐｈｏｓｔｉｎｅｓ））、シクロスポリンＡ、例えば６−ａ−ヒドロキシ−パクリタキセルのようなパクリタキセルおよび誘導体、バッカチン（ｂａｃｃａｔｉｎ）、タキソテール、その他合成的に生産および天然源に由来するカーボン・サブオキサイド（Ｃａｒｂｏｎ ｓｕｂｏｘｉｄｅ）の大環状オリゴマー（ＭＣＳ）およびその誘導体、モフェブタゾン（ｍｏｆｅｂｕｔａｚｏｎｅ）、アセメタシン、ジクロフェナク、ロナゾラック（ｌｏｎａｚｏｌａｃ）、ダプソン、ｏ−カルバモイルフェノキシ酢酸（ｃａｒｂａｍｏｙｌｐｈｅｎｏｘｙａｃｅｔｉｃ ａｃｉｄ）、リドカイン、ケトプロフェン、メフェナム酸、ピロキシカム、メロキシカム、クロロキンリン酸、ペニシラミン、ヒドロキシクロロキン、オーラノフィン、金チオリンゴ酸ナトリウム、オクサセプロール（ｏｘａｃｅｐｒｏｌ）、セレコキシブ、β−シトステリン、アデノシル・メチオニン（ａｄｅｍｅｔｉｏｎｉｎｅ）、ミルテカイン（ｍｙｒｔｅｃａｉｎｅ）、ポリドカノール、ノニヴァミド（ｎｏｎｉｖａｍｉｄｅ）、レボメントール（ｌｅｖｏｍｅｎｔｈｏｌ）、ベンゾカイン、アエスシン（ａｅｓｃｉｎ）、エリプチシン、Ｄ−２４８５１（カルビオケム）、コルセミド、サイトカラシンＡ−Ｅ、インダノシン（ｉｎｄａｎｏｃｉｎｅ）、ノコダゾール、Ｓ１００プロテイン、バシトラシン、ビトロネクチン受容体アンタゴニスト、アゼラスチン、グアニジル シクラーゼ刺激薬（ｓｔｉｍｕｌａｔｏｒ） 組織メタロプロテアーゼインヒビター（ｔｉｓｓｕｅ ｉｎｈｉｂｉｔｏｒ ｏｆ ｍｅｔａｌ ｐｒｏｔｅｉｎａｓｅ）−１および−２、遊離した核酸、ウイルス伝搬体（ｖｉｒｕｓ ｔｒａｎｓｍｉｔｔｅｒｓ）に組み込まれた核酸、ＤＮＡおよびＲＮＡ断片、プラスミノーゲン活性化因子インヒビター−１、プラスミノーゲン活性化因子インヒビター−２、アンチセンス・オリゴヌクレオチド、ＶＥＧＦ阻害剤、ＩＧＦ−１、例えばセファドロキシル、セファゾリン、セファクロル、セフォタキシム（ｃｅｆｏｔａｘｉｍ）、トブラマイシン、ゲンタマイシン、例えばジクロキサシリンのようなペニシリン、オキサシリン、サ���ファ剤、メトロニダゾールからなる抗生物質（ａｎｔｉｂｉｏｔｉｃｓ）の群より選ばれた活性物質、例えばアルガトロバンのような抗血栓剤、アスピリン、アブシキシマブ、合成された（ｓｙｎｔｈｅｔｉｃ）アンチトロンビン、ビバリルジン（ｂｉｖａｌｉｒｕｄｉｎ）、クマジン、エノキサパリン、脱硫酸化（ｄｅｓｕｌｐｈａｔｅｄ）およびＮ−再アセチル化（ｒｅａｃｅｔｙｌａｔｅｄ）されたヘパリン、組織プラスミノーゲン活性化因子、ＧｐＩＩｂ／ＩＩＩａ 血小板膜レセプター、ファクターＸａ阻害抗体（ｆａｃｔｏｒ Ｘａ ｉｎｈｉｂｉｔｏｒ ａｎｔｉｂｏｄｙ）、ヘパリン、ヒルジン、ｒ−ヒルジン、ＰＰＡＣＫ、プロタミン、プロウロキナーゼ、ストレプトキナーゼ、ワルファリン、ウロキナーゼ、例えばジピラミドール（ｄｉｐｙｒａｍｉｄｏｌｅ）のような血管拡張薬（ｖａｓｏｄｉｌａｔｏｒｓ）、トラピジル、ニトロプルシド（ｎｉｔｒｏｐｒｕｓｓｉｄｅｓ）、例えばトリアゾロピリミジン（ｔｒｉａｚｏｌｏｐｙｒｉｍｉｄｉｎｅ）およびセラミンのようなＰＤＧＦアンタゴニスト、例えばカプトプリルのようなＡＣＥ阻害剤、シラザプリル、リシノプリル、エナラプリル、ロサルタン、チオールプロテアーゼ阻害剤、プロスタサイクリン、バピプロスト（ｖａｐｉｐｒｏｓｔ）、インターフェロンα、βおよびγ、ヒスタミン アンタゴニスト、セロトニンブロッカー、アポトーシス阻害剤、例えばｐ６５ ＮＦ−ｋＢまたはＢｃｌ−ｘＬ アンチセンス・オリゴヌクレオチドのようなアポトーシスレギュレーター、ハロフジノン、ニフェジピン、トコフェロール、トラニラスト、モルシドミン、茶成分ポリフェノール、エピカテキン・ガレート（ｅｐｉｃａｔｅｃｈｉｎ ｇａｌｌａｔｅ）、エピガロカテキン・ガレート（ｅｐｉｇａｌｌｏｃａｔｅｃｈｉｎ ｇａｌｌａｔｅ）、ボズウェラ酸（ｂｏｓｗｅｌｌｉｃ ａｃｉｄｓ）およびその誘導体（ｄｅｒｉｖａｔｉｖｅｓ）、レフルノミド、アナキンラ、エタネルセプト、スルファサラジン、エトポシド、ジクロキサシリン、テトラサイクリン、トリアムシノロン、ムタマイシン（ｍｕｔａｍｙｃｉｎ）、プロカイナミド、レチノイン酸、キニジン、ジソピラミド、フレカイニド、プロパフェノン、ソタロール、アミドロン（ａｍｉｄｏｒｏｎｅ）、例えばブリオフィリン（ｂｒｙｏｐｈｙｌｌｉｎ）Ａのような天然および合成的に得られたステロイド、イノトジオール（ｉｎｏｔｏｄｉｏｌ）、マキロシド（ｍａｑｕｉｒｏｓｉｄｅ）Ａ、ガラキノシド（ｇｈａｌａｋｉｎｏｓｉｄｅ）、マンソニン（ｍａｎｓｏｎｉｎｅ）、ストレブロシド（ｓｔｒｅｂｌｏｓｉｄｅ）、ヒドロコルチゾン、ベタメタゾン、デキサメタゾン、例えばフェノプロフェンのような非ステロイド化合物（ＮＳＡＩＤＳ）、イブプロフェン、インドメタシン、ナプロキセン、フェニルブタゾン、例えばアシクロビル、ガンシクロビルおよびジドブジンのようなその他の抗ウイルス剤、例えばクロトリマゾール、フルシトシン、グリセオフルビン、ケトコナゾール、ミコナゾール、ニスタチン、テルビナフィンのような抗かび剤（ａｎｔｉｍｙｃｏｔｉｃｓ）、例えばクロロキン、メフロキン、キニーネのようなアンチプロゾール（ａｎｔｉｐｒｏｚｏａｌ）作用物質、さらに、ヒッポカエスクリン（ｈｉｐｐｏｃａｅｓｃｕｌｉｎ）のような天然のテルペノイド、バリントゲノール（ｂａｒｒｉｎｇｔｏｇｅｎｏｌ）−Ｃ２１−アンゲレート、１４−デヒロドアグロスチスタチン（ｄｅｈｙｄｒｏａｇｒｏｓｔｉｓｔａｃｈｉｎ）、アグロスケリン（ａｇｒｏｓｋｅｒｉｎ）、アガロスチスタチン（ａｇｒｏｓｔｉｓｔａｃｈｉｎ）、１７−ヒドロキシアグロスチスタチン（ｈｙｄｒｏｘｙａｇｒｏｓｔｉｓｔａｃｈｉｎ）、オヴァトジオライド（ｏｖａｔｏｄｉｏｌｉｄｓ）、４、７−オキシシクロアニソメリック・アシッド（ｏｘｙｃｙｃｌｏａｎｉｓｏｍｅｌｉｃ ａｃｉｄ）、バッカリノイド（ｂａｃｃｈａｒｉｎｏｉｄｓ）Ｂ１、Ｂ２、Ｂ３およびＢ７、トゥベイモシド（ｔｕｂｅｉｍｏｓｉｄｅ）、ブルセノール（ｂｒｕｃｅａｎｏｌ）Ａ、ＢおよびＣ、ブルセアンチノシド（ｂｒｕｃｅａｎｔｉｎｏｓｉｄｅ） Ｃ、ヤダンジオシド（ｙａｄａｎｚｉｏｓｉｄｅｓ）ＮおよびＰ、イソデオキシエレファントピン（ｉｓｏｄｅｏｘｙｅｌｅｐｈａｎｔｏｐｉｎ）、トメンファントピン（ｔｏｍｅｎｐｈａｎｔｏｐｉｎ）ＡおよびＢ、コロナリン（ｃｏｒｏｎａｒｉｎ）Ａ、Ｂ、ＣおよびＤ、ウルソール酸、ヒプタチック酸（ｈｙｐｔａｔｉｃ ａｃｉｄ）Ａ、ゼオリン（ｚｅｏｒｉｎ）、イソ−イリドジャーマナル（ｉｒｉｄｏｇｅｒｍａｎａｌ）、メイテンフォリオル（ｍａｙｔｅｎｆｏｌｉｏｌ）、エフサンチン（ｅｆｆｕｓａｎｔｉｎ）Ａ、エキシサニン（ｅｘｃｉｓａｎｉｎ）ＡおよびＢ、ロンギカウリン（ｌｏｎｇｉｋａｕｒｉｎ）Ｂ、スカルポネアチン（ｓｃｕｌｐｏｎｅａｔｉｎ）Ｃ、カメバウニン（ｋａｍｅｂａｕｎｉｎ）、ロイカメニン（ｌｅｕｋａｍｅｎｉｎ）ＡおよびＢ、１３、１８−デヒドロ−６−ａ−シネシオイルオキシシャパリン（ｓｅｎｅｃｉｏｙｌｏｘｙｃｈａｐａｒｒｉｎ）、タクサマイリン（ｔａｘａｍａｉｒｉｎ）ＡおよびＢ、レジェニロール（ｒｅｇｅｎｉｌｏｌ）、トリプトライド（ｔｒｉｐｔｏｌｉｄｅ）、さらに、シマリン、アポシマリン（ａｐｏｃｙｍａｒｉｎ）、アリストロキア酸、アノプテリン（ａｎｏｐｔｅｒｉｎ）、ヒドロキシアノプテリン（ｈｙｄｒｏｘｙａｎｏｐｔｅｒｉｎ）、アネモニン、プロトアネモニン、ベルベリン、チェリブリン・クロライド（ｃｈｅｌｉｂｕｒｉｎ ｃｈｌｏｒｉｄｅ）、シクトキシン（ｃｉｃ
ｔｏｘｉｎ）、シノコクリン（ｓｉｎｏｃｏｃｕｌｉｎｅ）、ボムブレスタチン（ｂｏｍｂｒｅｓｔａｔｉｎ）ＡおよびＢ、クドライソフラボン（ｃｕｄｒａｉｓｏｆｌａｖｏｎｅ）Ａ、クルクミン、ジヒドロニチジン（ｄｉｈｙｄｒｏｎｉｔｉｄｉｎｅ）、塩化ニチジン（ｎｉｔｉｄｉｎｅ ｃｈｌｏｒｉｄｅ）、１２−β−ヒドロキシプレグナジエン（ｈｙｄｒｏｘｙｐｒｅｇｎａｄｉｅｎ）−３、２０−ジオン、ビロボール（ｂｉｌｏｂｏｌ）、ギンコール（ｇｉｎｋｇｏｌ）、ギンコール酸、ヘレナリン（ｈｅｌｅｎａｌｉｎ）、インジシン（ｉｎｄｉｃｉｎｅ）、インジシン（ｉｎｄｉｃｉｎｅ）−Ｎ−オキシド、ラシオカルピン（ｌａｓｉｏｃａｒｐｉｎｅ）、イノトジオール（ｉｎｏｔｏｄｉｏｌ）、グリコシド １ａ、ポドフィロトキシン、ジャスチシジン（ｊｕｓｔｉｃｉｄｉｎ）ＡおよびＢ、ラレアチン（ｌａｒｒｅａｔｉｎ）、マロテリン（ｍａｌｌｏｔｅｒｉｎ）、マロトクロマノール（ｍａｌｌｏｔｏｃｈｒｏｍａｎｏｌ）、イソブチリルマロトクロマノール（ｉｓｏｂｕｔｙｒｙｌｍａｌｌｏｔｏｃｈｒｏｍａｎｏｌ）、マキロシド（ｍａｑｕｉｒｏｓｉｄｅ）Ａ、マーチャンチン（ｍａｒｃｈａｎｔｉｎ）Ａ、メイタイシン（ｍａｙｔａｎｓｉｎｅ）、リコリジシン（ｌｙｃｏｒｉｄｉｃｉｎ）、マルゲチン（ｍａｒｇｅｔｉｎｅ）、パンクラチスタチン（ｐａｎｃｒａｔｉｓｔａｔｉｎ）、リリオデニン（ｌｉｒｉｏｄｅｎｉｎｅ）、ビスパーセノリジン（ｂｉｓｐａｒｔｈｅｎｏｌｉｄｉｎｅ）、オクソウシンスニン（ｏｘｏｕｓｈｉｎｓｕｎｉｎｅ）、アリストラクタム（ａｒｉｓｔｏｌａｃｔａｍ）−ＡＩＩ、ビスパーセノリジン（ｂｉｓｐａｒｔｈｅｎｏｌｉｄｉｎｅ）、ペリプロコシド（ｐｅｒｉｐｌｏｃｏｓｉｄｅ）Ａ、ガラキノシド（ｇｈａｌａｋｉｎｏｓｉｄｅ）、ウルソール酸、デオキシソロスパミン（ｄｅｏｘｙｐｓｏｒｏｓｐｅｒｍｉｎ）、サイコルビン（ｐｓｙｃｈｏｒｕｂｉｎ）、リシンＡ、サンギナリン、マンウ（ｍａｎｗｕ） ホウィート・アシッド（ｗｈｅａｔ ａｃｉｄ）、メチルソルビフォリン（ｍｅｔｈｙｌｓｏｒｂｉｆｏｌｉｎ）、スファセリアクロメン（ｓｐｈａｔｈｅｌｉａｃｈｒｏｍｅｎ）、スチゾフィリン（ｓｔｉｚｏｐｈｙｌｌｉｎ）、マンソニン（ｍａｎｓｏｎｉｎｅ）、ストレブロシド（ｓｔｒｅｂｌｏｓｉｄｅ）、アカゲリン（ａｋａｇｅｒｉｎｅ）、ジヒロドウサムバレンシン（ｄｉｈｙｄｒｏｕｓａｍｂａｒｅｎｓｉｎｅ）、ヒドロキシウサムバリン（ｈｙｄｒｏｘｙｕｓａｍｂａｒｉｎｅ）、ストリクノペンタミン（ｓｔｒｙｃｈｎｏｐｅｎｔａｍｉｎｅ）、ストリクノフィリン（ｓｔｒｙｃｈｎｏｐｈｙｌｌｉｎｅ）、ウサムバリン（ｕｓａｍｂａｒｉｎｅ）、ウサムバレンシン（ｕｓａｍｂａｒｅｎｓｉｎｅ）、ベルベリン、リリオデニン（ｌｉｒｉｏｄｅｎｉｎｅ）、オクソウシンスニン（ｏｘｏｕｓｈｉｎｓｕｎｉｎｅ）、ダフノレチン（ｄａｐｈｎｏｒｅｔｉｎ）、ラリシレシノール（ｌａｒｉｃｉｒｅｓｉｎｏｌ）、メトキシラリシレシノール（ｍｅｔｈｏｘｙｌａｒｉｃｉｒｅｓｉｎｏｌ）、シリンガレジノール（ｓｙｒｉｎｇａｒｅｓｉｎｏｌ）、ウンベリフェロン（ｕｍｂｅｌｌｉｆｅｒｏｎ）、アフロモソン（ａｆｒｏｍｏｓｏｎ）、アセチルビスミオン（ａｃｅｔｙｌｖｉｓｍｉｏｎｅ） Ｂ、デスアセチルビスミオン（ｄｅｓａｃｅｔｙｌｖｉｓｍｉｏｎｅ）Ａ、ビスミオン（ｖｉｓｍｉｏｎｅ）ＡおよびＢ、からなる群より選択されたこと、
を特徴とするもの。
【請求項３】
前記請求項にかかるステントにおいて、
前記抗増殖性、抗炎症性、および／または、抗血栓性の活性物質は、ステント表面１平方センチ当たり０．００１から１０mgの薬学的活性濃度(pharmaceutically active concentrations)を備えること、
を特徴とするもの。
【請求項４】
前記いずれかの請求項にかかるステントにおいて、
前記血液親和性膜は、
購入可能なヘパリンの標準的な分子量１３ｋＤに至るまで抗血栓作用を生じさせるペンタサッカライド(pentasaccharide)の分子量範囲において、異なる硫酸化率（硫酸化度）およびアシル化率（アシル化度）を有する位置選択的( regioselectively)に得られた誘導体とともに、天然由来(native origin)のヘパリン、ヘパラン硫酸、および、その誘導体、赤血球性の（ｅｒｙｔｈｒｏｃｙｔｉｃ）グリコカリックス（ｇｌｙｃｏｃａｌｉｘ）のオリゴおよび多糖類、オリゴ糖、多糖類、完全に脱硫酸化（ｄｅｓｕｌｐｈａｔｅｄ）およびＮ−再アセチル化（ｒｅａｃｅｔｙｌａｔｅｄ）されたヘパリン、脱硫酸化（ｄｅｓｕｌｐｈａｔｅｄ）およびＮ−再アセチル化（ｒｅａｃｅｔｙｌａｔｅｄ）されたヘパリン、Ｎ−カルボキシメチル化され、および／または、部分的にＮ−アセチル化（Ｎ−ａｃｅｔｙｌａｔｅｄ）されたキトサン、ポリアクリル酸、ポリエーテル エーテル ケトン、ポリビニルピロリドン、および／またはポリエチレン・グリコール、またはこれらの物質の混合物、を含むこと、
を特徴とするもの。
【請求項５】
請求項４にかかるステントにおいて、
前記血液親和性膜は、
前記ステント表面に、接着結合、あるいは、好ましくは共有接合、すること、
を特徴とするもの。
【請求項６】
前記請求項にかかるステントにおいて、
前記コーテイングは、
２以上の膜を含んでおり、第１膜は、前記ステントの表面に、直接積層されること、
を特徴とするもの。
【請求項７】
請求項６にかかるステントにおいて、
前記第１膜は、
請求項２にかかる少なくとも１の活性物質を共有および／または接着結合方式により含む、生物分解性膜および／または生物的安定膜によって、ほぼ完全または不完全にコートされる、血液親和性膜を備えたこと、
を特徴とするもの。
【請求項８】
請求項６または請求項７にかかるステントにおいて、
前記第２膜は、
請求項２にかかる少なくとも１の活性物質を含む、非生物分解性膜を共有または／および接着結合形式により含み、好ましくは、共有結合する血液親和性膜により、ほぼ完全にコートされること、
を特徴とするもの。
【請求項９】
請求項７または請求項８にかかるステントにおいて、
前記生物分解性膜用の生物分解性物質として、
ポリバレロラクトン（ｐｏｌｙｖａｌｅｒｏｌａｃｔｏｎｅｓ）、ポリ−ε−デカラクトン、ポリ乳酸、ポリグリコール酸、ポリラクチド、ポリグリコライド、ポリラクチドのコポリマー（ｃｏｐｏｌｙｍｅｒｓ、共重合体）、および、ポリグリコライド、ポリ−ε−カプロラクトン、ポリヒドロキシブタン酸、ポリヒドロキンブチレート、ポリヒドロキシバレレート（ｐｏｌｙｈｙｄｒｏｘｙｖａｌｅｒａｔｅｓ）、ポリヒロドキシブチレート−ｃｏ−バレレート（ｖａｌｅｒａｔｅｓ）、ポリ（１、４−ジオキサン−２、３−ジオン）、ポリ（１、３−ジオキサン−２−オン）、ポリ−パラ−ジオキサノン、例えばポリ無水マレイン酸（ｐｏｌｙｍａｌｅｉｃ ａｎｈｙｄｒｉｄｅｓ）のようなポリアンヒドリド（ｐｏｌｙａｎｈｙｄｒｉｄｅｓ）、ポリヒドロキシメタクリレート、フィブリン、ポリシアノアクリレート、ポリカプロラクトンジメチルアクリレート、ポリ−ｂ−マレイン酸、ポリカプロラクトンブチル・アクリレーツ（ａｃｒｙｌａｔｅｓ）、例えばオリゴカプロラクトンジオール（ｏｌｉｇｏｃａｐｒｏｌａｃｔｏｎｅｄｉｏｌｅｓ）およびオリゴジオキサノンジオール（ｏｌｉｇｏｄｉｏｘａｎｏｎｅｄｉｏｌｅｓ）から得られるようなマルチブロックポリマー（ｍｕｌｔｉｂｌｏｃｋ ｐｏｌｙｍｅｒｓ）、例えばＰＥＧおよびポリ（ブチレンテレフタレート）のようなポリエーテルエステル・マルチブロックポリマー（ｍｕｌｔｉｂｌｏｃｋ ｐｏｌｙｍｅｒｓ）、ポリピボトラクトン（ｐｏｌｙｐｉｖｏｔｏｌａｃｔｏｎｅｓ）、ポリグリコール酸 トリメチレン−カーボネート（ｃａｒｂｏｎａｔｅｓ）、ポリカプロラクトン−グリコライド（ｇｌｙｃｏｌｉｄｅｓ）、ポリ（ｇ−エチルグルタミン酸）、ポリ（ＤＴＨ−イミノカーボネート（ｉｍｉｎｏｃａｒｂｏｎａｔｅ））、ポリ（ＤＴＥ−ｃｏ−ＤＴ−カーボネート）、ポリ（ビスフェノール−Ａ−イミノカーボネート（ｉｍｉｎｏｃａｒｂｏｎａｔｅ））、ポリオルトエステル、ポリグリコール酸 トリメチレン−カーボネート（ｃａｒｂｏｎａｔｅｓ）、ポリトリメチルカルボン酸、ポリイミノカルボン酸、ポリ（Ｎ−ビニル）−ピロリドン、ポリビニルアルコール（ｐｏｌｙｖｉｎｙｌａｌｃｏｈｏｌｓ）、ポリエステルアミド（ｐｏｌｙｅｓｔｅｒａｍｉｄｅｓ）、グリコール酸・ポリエステル（ｇｌｙｃｏｌａｔｅｄ ｐｏｌｙｅｓｔｅｒｓ）、ポリホスホエステル（ｐｏｌｙｐｈｏｓｐｈｏｅｓｔｅｒｓ）、ポリホスファゼン、ポリ［ｐ−カルボキシフェノキシ）プロパン］、ポリヒドロキシペンタン酸、ポリアンヒドリド（ｐｏｌｙａｎｈｙｄｒｉｄｅｓ）、ポリエチレンオキシド−プロピレンオキシド、ソフトポリウレタン、主鎖にアミノ酸残基が付加されたポリウレタン（ｐｏｌｙｕｒｅｔｈａｎｅｓ）、例えばポリエチレンオキシドのようなポリエーテルエステル（ｐｏｌｙｅｔｈｅｒｅｓｔｅｒｓ）、ポリアルケンシュウ酸（ｐｏｌｙａｌｋｅｎｅｏｘａｌａｔｅｓ）、ポリオルトエステル およびそれらのコポリマー、脂質（ｌｉｐｉｄｓ）、カラギーナン（ｃａｒｒａｇｅｅｎａｎｓ）、フィブリノーゲン、デンプン、コラーゲン、プロテインをもとにしたポリマー（ｐｒｏｔｅｉｎ ｂａｓｅｄ ｐｏｌｙｍｅｒｓ）、ポリ��ミノ酸、合成された（ｓｙｎｔｈｅｔｉｃ）ポリアミノ酸、ゼイン（ｚｅｉｎ）、修飾されたゼイン（ｚｅｉｎ）、ポリヒドロキシアルカン酸、ペクチン酸、化学作用のある酸（ａｃｔｉｎｉｃ ａｃｉｄ）、修飾および非修飾のフィブリンおよびカゼイン、カルボキシメチル硫酸（ｃａｒｂｏｘｙｍｅｔｈｙｌｓｕｌｐｈａｔｅ）、アルブミン、さらに、ヒアルロン酸、ヘパラン硫酸（ｈｅｐａｒａｎ ｓｕｌｐｈａｔｅ）、ヘパリン、コンドロイチン硫酸（ｃｈｏｎｄｒｏｉｔｉｎｅ ｓｕｌｐｈａｔｅ）、デキストラン、ｂ−シクロデキストリン（ｃｙｃｌｏｄｅｘｔｒｉｎｓ）、ＰＥＧおよびポリプロピレングリコールによるコポリマー、アラビアゴム（ｇｕｍ ａｒａｂｉｃ）、グアー（ｇｕａｒ）、ゼラチン、コラーゲン、コラーゲン−Ｎ−ヒドロキシサクシンイミド、脂質（ｌｉｐｉｄｓ）、リン脂質（ｐｈｏｓｐｈｏｌｉｐｉｄｓ）、前述の物質の修飾物、前述の物質のコポリマー、および／または、前述の物質の混合物、が用いられること、
を特徴とするもの。
【請求項１０】
請求項７、請求項８または請求項９のいずれかにかかるステントにおいて、
前記生物的安定膜用の生物的安定物質として、
ポリアクリル酸および例えばポリメチルメタクリレートのようなポリアクリレート、ポリブチル・メタクリレート（ｍｅｔｈａｃｒｙｌａｔｅ）、ポリアクリルアミド、ポリアクリロニトリル、ポリアミド、ポリエーテルアミド（ｐｏｌｙｅｔｈｅｒａｍｉｄｅｓ）、ポリエチレンアミン、ポリイミド、ポリカーボネート（ｐｏｌｙｃａｒｂｏｎａｔｅｓ）、ポリカルボウレタン（ｐｏｌｙｃａｒｂｏｕｒｅｔｈａｎｅｓ）、ポリビニルケトン、ポリビニルハロゲン化物（ｐｏｌｙｖｉｎｙｌｈａｌｏｇｅｎｉｄｅｓ）、ポリビニリデンハロゲン化物（ｐｏｌｙｖｉｎｙｌｉｄｅｎｈａｌｏｇｅｎｉｄｅｓ）、ポリビニルエーテル、ポリイソブチレン、ポリビニルアロメート（ｐｏｌｙｖｉｎｙｌａｒｏｍａｔｅｓ）、ポリビニルエステル、ポリビニルピロリドン、ポリオキシメチレン、ポリテトラメチレンオキシド（ｐｏｌｙｔｅｔｒａｍｅｔｈｙｌｅｎｅｏｘｉｄｅ）、ポリエチレン、ポリプロピレン、ポリテトラフルオロエチレン、ポリウレタン（ｐｏｌｙｕｒｅｔｈａｎｅｓ）、ポリエーテルウレタン、シリコン−ポリエーテルウレタン、シリコン−ポリウレタン（ｐｏｌｙｕｒｅｔｈａｎｅｓ）、シリコン−ポリカーボネート−ウレタン（ｐｏｌｙｃａｒｂｏｎａｔｅ−ｕｒｅｔｈａｎｅｓ）、ポリオレフィンエラストマー、ポリイソブチレン、ＥＰＤＭ ガム（ｇｕｍｓ）、フルオロシリコン、カルボキシメチル キトサン、ポリアリルエーテルエーテル（ｐｏｌｙａｒｙｌｅｔｈｅｒｅｔｈｅｒ）ケトン、ポリエーテルエーテル（ｐｏｌｙｅｔｈｅｒｅｔｈｅｒ）ケトン、ポリエチレンテレフタラート、ポリバレレート（ｐｏｌｙｖａｌｅｒａｔｅｓ）、カルボキシメチルセルロース、セルロース、レーヨン、レーヨントリアセテート、セルロースニトレート、セルロースアセテート、ヒドロキシエチル セルロース、セルロース ブチレート（ｂｕｔｙｒａｔｅｓ）、セルロース アセテート（ａｃｅｔａｔｅ） ブチレート（ｂｕｔｙｒａｔｅｓ）、エチルビニールアセテート・コポリマー（ｃｏｐｏｌｙｍｅｒｓ、共重合体）、ポリスルホン、エポキシレジン、ＡＢＳレジン、ＥＰＤＭ ガム（ｇｕｍｓ）、例えばポリシロキサンのようなシリコン、ポリジメチルシロキサン（ｐｏｌｙｄｉｍｅｔｈｙｌｓｉｌｏｘａｎｅｓ）、ポリビニル ハロゲンおよびコポリマー（ｃｏｐｏｌｙｍｅｒｓ）、セルロースエーテル、セルロース トリアセテート、キトサンおよびコポリマー（ｃｏｐｏｌｙｍｅｒｓ、共重合体）、および／または、これらの物質の混合物、が用いられること、
を特徴とするもの。
【請求項１１】
血液親和性、抗増殖性、抗炎症性、および／または、抗血栓性を有するようステントをコーテイングする方法であって、
a）コートしていないステントを準備するステップ、
b）好ましくは、共有結合する血液親和性膜を積層するステップ、
c）少なくとも１の活性物質を用い、および／または、前記活性物質を下にある膜に共有結合させることにより、浸漬あるいは吹きつけ法を介して、前記血液親和性膜をほぼ完全にコートするステップ、あるいは
c')共有、および／または、接着接合する少なくとも１の活性物質を含む、少なくとも１の生物分解性膜、および／または、生物的安定膜を用い、浸漬あるいは吹きつけ法を介して、前記血液親和性膜を、ほぼ完全、または、不完全にコートするステップ、を備えたこと、
を特徴とするもの。
【請求項１２】
請求項１１にかかる方法において、
前記ステップa 、b)、 c')ならびに、
d)共有および／または接着結合する少なくとも１の活性物質を含む、少なくとも１の生物分解性膜および／または生物的安定膜、ならびに、拡散バリアとして、下にある膜を完全および／または部分的にカバーする、活性物質を含まない他の生物分解性膜および／または生物的安定膜により、前記血液親和性膜を、ほぼ完全にコートするステップ、を備えたこと、
を特徴とするもの。
【請求項１３】
請求項１１にかかる方法において、
前記ステップa)、b)、ならびに、
c')共有結合または／および接着接合する、少なくとも１の抗増殖性、抗炎症性、および／または、抗血栓性の活性物質、を含む生物的安定膜を積層するステップ、および、
d)血液親和性膜により、前記生物的安定膜をほぼ完全にコートするステップ、を備えたこと、
を特徴とするもの。
【請求項１４】
請求項１１にかかる方法において、
前記ステップa 、b)、 c')ならびに、
d)下の膜に共有および／または接着結合する、活性物質または活性物質の組み合わせ、を積層するステップ、
e)共有および／または接着結合する少なくとも１の活性物質を含む、少なくとも１の生物分解性膜および／または生物的安定膜により、前記血液親和性膜をほぼ完全にコートするステップ、
f)共有および／または接着結合する活性物質または活性物質の組み合わせ、ならびに、拡散バリアとして、下にある膜を完全および／または部分的に覆う、活性物質を含まない他の生物分解性膜および／または生物的安定膜、を積層するステップ、を備えたこと、
を特徴とするもの。
【請求項１５】
請求項１１にかかる方法において、
前記ステップa 、b)、ならびに、
c') 膜ごとに異なる濃度を有し、共有および／または接着結合する少なくとも１の活性物質を含む、少なくとも２の生物分解性膜、および／または、生物的安定膜により、前記血液親和性膜をほぼ完全および／または不完全にコートするステップ、あるいは、
d)膜ごとに異なる濃度を有し、共有および／または接着結合する少なくとも１の活性物質を含む、少なくとも２の生物分解性膜、および／または、生物的安定膜、ならびに、少なくとも他の生物分解性膜、および／または、拡散バリアとして、下にある膜を完全および／または部分的に覆う、活性物質を含まない他の生物的安定膜により、前記血液親和性膜をほぼ完全または不完全にコートするステップ、あるいは
e)同じあるいは異なる濃度を有し、共有および／または接着結合する、少なくとも１の活性物質、および、同じグループあるいは他の補足的物質のグループからの少なくとも他の活性物質を含む、少なくとも１の生物分解性膜および／または生物的安定膜により、前記血液親和性膜をほぼ完全または不完全にコートするステップ、あるいは
f)同じあるいは異なる濃度を有し、共有および／または接着結合する、少なくとも１の活性物質、および、同じグループあるいは他の補足的物質のグループからの少なくとも他の活性物質を含む、少なくとも２の生物分解性膜および／または生物的安定膜、ならびに、拡散バリアとして、下にある膜を完全および／または部分的に覆う、活性物質を含まない少なくとも他の生物分解性膜および／または生物的安定膜により、前記血液親和性膜をほぼ完全または不完全にコートするステップ、あるいは
g)同じあるいは異なる濃度を有し、共有および／または接着結合する少なくとも１の活性物質を含む、少なくとも２の生物分解性膜および／または生物的安定膜、ならびに、拡散バリアとして、下にある膜を完全またはその一部のみを覆う、活性物質を含まない他の生物分解性膜および／または生物的安定膜により、前記血液親和性膜をほぼ完全にコートするステップであって、前記膜は、下の膜に共有結合、および／または接着結合する、少なくとも１の活性物質を含む活性物質の膜によりカバーされるステップ、を備えたこと、
を特徴とするもの。
【請求項１６】
請求項１１から請求項１５のいずれかにかかる方法において、
前記血液親和性膜は、
購入可能なヘパリンの標準的な分子量１３ｋＤに至るまで抗血栓作用を生じさせるペンタサッカライド(pentasaccharide)の分子量範囲において、異なる硫酸化率（硫酸化度）およびアシル化率（アシル化度）を有する位置選択的( regioselectively)に得られた誘導体とともに、天然由来のヘパリン、ヘパラン硫酸、および、その誘導体、赤血球性の（ｅｒｙｔｈｒｏｃｙｔｉｃ）グリコカリックス（ｇｌｙｃｏｃａｌｉｘ）のオリゴおよび多糖類、オリゴ糖、多糖類、完全に脱硫酸化（ｄｅｓｕｌｐｈａｔｅｄ）およびＮ−再アセチル化（ｒｅａｃｅｔｙｌａｔｅｄ）されたヘパリン、脱硫酸化（ｄｅｓｕｌｐｈａｔｅｄ）およびＮ−再アセチル化（ｒｅａｃｅｔｙｌａｔｅｄ）されたヘパリン、Ｎ−カルボキシメチル化され、および／または、部分的にＮ−アセチル化（Ｎ−ａｃｅｔｙｌａｔｅｄ）されたキトサン、ポリアクリル酸、ポリビニルピロリドン、および／またはポリエーテルエーテル ケトン、ポリエチレン・グリコール、またはこれらの物質の混合物、を含むこと、
を特徴とするもの。
【請求項１７】
請求項１１から請求項１６のいずれかにかかる方法において、
前記血液親和性膜は、
好ましくは、前記ステントと共有結合し、前記生物的安定膜は、第１膜を完全または不完全にカバーし、第３血液親和性膜は、好ましくは、前記第２膜と共有結合すること、
を特徴とするもの。
【請求項１８】
ステントであって、請求項１１から請求項１７のいずれかにかかる方法により、生産されること、
を特徴とするもの。
【請求項１９】
再狭窄の防止、あるいは、少なくとも、それを著しく低下させるため、前記請求項のいずれかにかかるステントの使用。
【請求項２０】
少なくとも、抗増殖性、抗炎症性、および／または、抗血栓性の活性物質を連続的に放出するための、前記請求項の少なくとも１つにかかるステントの使用。
【請求項２１】
請求項２０にかかる使用において、
用いられた前記活性物質あるいは前記複数の活性物質について、請求項２にかかる前記活性物質を考慮すること、
を特徴とする前記ステントの使用。
【誤訳訂正２】
【訂正対象書類名】明細書
【訂正対象項目名】００１９
【訂正方法】変更
【訂正の内容】
【００１９】
抗増殖性の活性物質、抗炎症性(antiphlogistic)ならびに抗血栓性化合物が活性物質として用いられる。細胞成長抑止物質（ｃｙｔｏｓｔａｔｉｃｓ）、マクロライド抗生物質、および／または、スタチン（ｓｔａｔｉｎｓ）は、抗増殖性の活性物質（ａｃｔｉｖｅ ａｇｅｎｔｓ）として用いられるのが好ましい。適用可能な抗増殖性の活性物質は、シロリムス（ラパマイシン）、エベロリムス、ソマトスタチン、タクロリムス、ロキシスロマイシン、ドウナイマイシン（ｄｕｎａｉｍｙｃｉｎ）、アスコマイシン、バフィロマイシン、エリスロマイシン、ミデカマイシン、ジョサマイシン、コンカナマイシン、クラリスロマイシン、トロレアンドマイシン、フォリマイシン（ｆｏｌｉｍｙｃｉｎ）、セリバスタチン、シンバスタチン、ロバスタチン、フルバスタチン、ロスバスタチン、アトルバスタチン、プラバスタチン、ピタバスタチン、ビンブラスチン、ビンクリスチン、ビンデシン、ビノレルビン、エトポシド、テニポシド（ｔｅｎｉｐｏｓｉｄｅ）、ニムスチン、カルムスチン、ロムスチン、シクロホスファミド、４−ヒドロキシオキシシクロホスファミド、エストラムスチン、メルファラン、ベツリニック酸（ｂｅｔｕｌｉｎｉｃ ａｃｉｄ）、カンプトセシン、ラパコール、β−ラパコン（ｌａｐａｃｈｏｎｅ）、ポドフィロトキシン、ベツリン（ｂｅｔｕｌｉｎ）、トロフォスファミド（ｔｒｏｆｏｓｆａｍｉｄｅ）、ポドフィリック酸（ｐｏｄｏｐｈｙｌｌｉｃ ａｃｉｄ）２−エチルヒドラジド、イホスファミド、クロランブシル、ベンダムスチン（ｂｅｎｄａｍｕｓｔｉｎｅ）、ダカルバジン、ブスルファン、プロカルバジン、トレオスルファン（ｔｒｅｏｓｕｌｆａｎ）、テモゾロマイド、チオテパ、ダウノルビシン、ドキソルビシン、アクラルビシン、エピルビシン、ミトキサントロン、イダルビシン、ブレオマイシン、マイトマイシン、ダクチノマイシン、メトトレキセート、フルダラビン、フルダラビン−５’−リン酸二水素、モフェブタゾン（ｍｏｆｅｂｕｔａｚｏｎｅ）、アセメタシン、ジクロフェナク、ロナゾラック（ｌｏｎａｚｏｌａｃ）、ダプソン、ｏ−カルバモイルフェノキシ酢酸（ｃａｒｂａｍｏｙｌｐｈｅｎｏｘｙａｃｅｔｉｃ ａｃｉｄ）、リドカイン、ケトプロフェン、メフェナム酸、ピロキシカム、メロキシカム、クロロキンリン酸、ペニシラミン、ヒドロキシクロロキン、オーラノフィン、金チオリンゴ酸ナトリウム、オクサセプロール（ｏｘａｃｅｐｒｏｌ）、セレコキシブ、β−シトステリン、アデノシル・メチオニン（ａｄｅｍｅｔｉｏｎｉｎｅ）、ミルテカイン（ｍｙｒｔｅｃａｉｎｅ）、ポリドカノール、ノニヴァミド（ｎｏｎｉｖａｍｉｄｅ）、レボメントール（ｌｅｖｏｍｅｎｔｈｏｌ）、ベンゾカイン、アエスシン（ａｅｓｃｉｎ）、クラドリビン、メルカプトプリン、チオグアニン、シタラビン、フルオロウラシル、ゲムシタビン、カペシタビン、ドセタキセル、カルボプラチン、シスプラチン、オキサリプラチン、アムサクリン、イリノテカン、トポテカン、ヒドロキシカルバミド、ミルテフォシン、ペントスタチン、アルデスロイキン（ａｌｄｅｓｌｅｕｋｉｎ）、トレチノイン、アスパラギナーゼ、ペガスパラーゼ（ｐｅｇａｓｐａｒａｓｅ）、アナストロゾール、エキセメスタン、レトロゾール、フォルメスタン（ｆｏｒｍｅｓｔａｎｅ）、アミノグルテチミド、アドリアマイシン、アジスロマイシン、スピラマイシン、セファランチン（ｃｅｐｈａｒａｎｔｉｎ）、ｓｍｃ増殖阻害剤（ｓｍｃ ｐｒｏｌｉｆｅｒａｔｉｏｎ ｉｎｈｉｂｉｔｏｒ）−２ｗ、エポシロンＡおよびＢ、ミトキサントロン、アザチオプリン、マイコフェノールアトモフェチル（ｍｙｃｏｐｈｅｎｏｌａｔｍｏｆｅｔｉｌ）、ｃ−ｍｙｃ−アンチセンス、ｂ−ｍｙｃ−アンチセンス、セレクチン（サイトカイン アンタゴニスト）、ＣＥＴＰ阻害剤、カドヘリン（ｃａｄｈｅｒｉｎｅｓ）、サイトカイニン阻害剤、ＣＯＸ−２阻害剤、ＮＦｋＢ、アンギオペプチン（ａｎｇｉｏｐｅｐｔｉｎ）、シプロフロキサシン、カンプトセシン、フルロブラスチン（ｆｌｕｒｏｂｌａｓｔｉｎ）、筋細胞の増殖を阻害するモノクローナル抗体、ｂＦＧＦアンタゴニスト、プロブコール、プロスタグランジン、コルヒチン、例えば四硝酸ペンタエリスリトール（ｐｅｎｔａｅｒｙｔｈｒｉｔｏｌ ｔｅｔｒａｎｉｔｒａｔｅ）およびシンドノエイミン（ｓｙｎｄｎｏｅｉｍｉｎｅｓ）のようなＮＯ供与体（一酸化窒素供与体）、Ｓ−ニトロソデリバティブ（ｎｉｔｒｏｓｏｄｅｒｉｖａｔｉｖｅｓ）、タモキシフェン、β−エストラジオール、α−エストラジオール、エストロン、エストリオール、エチニルエストラジオール、ホスフェストロール、メドロキシプロゲステロン、エストラジオール シピオネイト（ｃｙｐｉｏｎａｔｅｓ）、エストラジオール ベンゾアート、トラニラスト、カメバコーリン（ｋａｍｅｂａｋａｕｒｉｎ）、および、癌の治療に利用されるその他のテルペノイド、ベラパミル、チロシンキナーゼ阻害剤（チルフォスチン（ｔｙｒｐｈｏｓｔｉｎｅｓ））、シクロスポリンＡ、パクリタキセルおよびその誘導体（６−α−ヒドロキシ−パクリタキセル、バッカチン（ｂａｃｃａｔｉｎ）、タキソテール、およびその他）、合成的に生産および天然源に由来するカーボン・サブオキサイド（ｃａｒｂｏｎ ｓｕｂｏｘｉｄｅ）の大環状オリゴマー（ＭＣＳ）およびその誘導体、モルグラモスティム（ｍｏｌｇｒａｍｏｓｔｉｍ）（ｒｈｕＧＭ−ＣＳＦ）、ペグインターフェロン α−２ｂ、レノグラスチム （ｒ−ＨｕＧ−ＣＳＦ）、フィルグラスチム、マクロゴール、ダカルバジン、バシリキシマブ、ダシリツマブ（ｄａｃｌｉｚｕｍａｂ）、エリプチシン、Ｄ−２４８５１（カルビオケム）、コルセミド、サイトカラシンＡ−Ｅ、インダノシン（ｉｎｄａｎｏｃｉｎｅ）、ノコダゾール、Ｓ１００プロテイン、バシトラシン、ビトロネクチン受容体アンタゴニスト、アゼラスチン、グアニジル シクラーゼ刺激薬（ｓｔｉｍｕｌａｔｏｒ） 組織メタロプロテアーゼインヒビター（ｔｉｓｓｕｅ ｉｎｈｉｂｉｔｏｒ ｏｆ ｍｅｔａｌ ｐｒｏｔｅｉｎａｓｅ）−１および−２、遊離した核酸、ウイルス伝搬体（ｖｉｒｕｓ ｔｒａｎｓｍｉｔｔｅｒｓ）に組み込まれた核酸、ＤＮＡおよびＲＮＡ断片、プラスミノーゲン活性化因子インヒビター−１、プラスミノーゲン活性化因子インヒビター−２、アンチセンス・オリゴヌクレオチド、ＶＥＧＦ阻害剤、いわゆるＩＧＦ−１、が好ましい。抗生物質（ａｎｔｉｂｉｏｔｉｃｓ）の群から、さらに、セファドロキシル、セファゾリン、セファクロル、セフォタキシム（ｃｅｆｏｔａｘｉｍ）、トブラマイシン、ゲンタマイシンを利用することができる。手術後の段階（ｐｏｓｔｏｐｅｒａｔｉｖｅ ｐｈａｓｅ）に対してよい影響を与えるものとして、例えばジクロキサシリンのようなペニシリン、オキサシリン、サルファ剤、メトロニダゾール、例えばアルガトロバンのような抗血栓剤、アスピリン、アブシキシマブ、合成された（ｓｙｎｔｈｅｔｉｃ）アンチトロンビン、ビバリルジン（ｂｉｖａｌｉｒｕｄｉｎ）、クマジン、エノキサパリン、ヘモパリン（ｈｅｍｏｐａｒｉｎ）、組織プラスミノーゲン活性化因子、ＧｐＩＩｂ／ＩＩＩａ 血小板膜レセプター、ファクターＸａ阻害抗体（ｆａｃｔｏｒ Ｘａ ｉｎｈｉｂｉｔｏｒ ａｎｔｉｂｏｄｙ）、ヘパリン、ヒルジン、ｒ−ヒルジン、ＰＰＡＣＫ、プロタミン、プロウロキナーゼ、ストレプトキナーゼ、ワルファリン、ウロキナーゼ、例えばジピラミドール（ｄｉｐｙｒａｍｉｄｏｌｅ）のような血管拡張薬（ｖａｓｏｄｉｌａｔｏｒｓ）、トラピジル、ニトロプルシド（ｎｉｔｒｏｐｒｕｓｓｉｄｅｓ）、例えばトリアゾロピリミジン（ｔｒｉａｚｏｌｏｐｙｒｉｍｉｄｉｎｅ）およびセラミンのようなＰＤＧＦアンタゴニスト、カプトプリルのようなＡＣＥ阻害剤、シラザプリル、リシノプリル、エナラプリル、ロサルタン、チオールプロテアーゼ阻害剤、カスパーゼ阻害剤、アポトーシス阻害剤、例えばｐ６５ ＮＦ−ｋＢまたはＢｃｌ−ｘＬ アンチセンス・オリゴヌクレオチドおよびプロスタサイクリンのようなアポトーシスレギュレーター、バピプロスト（ｖａｐｉｐｒｏｓｔ）、α、βおよびγ インターフェロン、ヒスタミン・アンタゴニスト、セロトニンブロッカー、ハロフジノン、ニフェジピン、トコフェロール、トラニラスト、モルシドミン、茶成分ポリフェノール、エピカテキン・ガレート（ｅｐｉｃａｔｅｃｈｉｎ ｇａｌｌａｔｅ）、エピガロカテキン・ガレート（ｅｐｉｇａｌｌｏｃａｔｅｃｈｉｎ ｇａｌｌａｔｅ）、ボズウェラ酸（ｂｏｓｗｅｌｌｉｃ ａｃｉｄｓ）およびその誘導体（ｄｅｒｉｖａｔｉｖｅｓ）、レフルノミド、アナキンラ、エタネルセプト、スルファサラジン、エトポシド、ジクロキサシリン、テトラサイクリン、トリアムシノロン、ムタマイシン（ｍｕｔａｍｙｃｉｎ）、プロカイナミド、レチノイン酸、キニジン、ジソピラミド、フレカイニド、プロパフェノン、ソタロール、アミドロン（ａｍｉｄｏｒｏｎｅ）がある。さらに、活性物質（ａｃｔｉｖｅ ａｇｅｎｔｓ）は、ステロイド（ヒドロコルチゾン、ベタメタゾン、デキサメタゾン）、例えばフェノプロフェン、イブプロフェン、インドメタシン、ナプロキセン、フェニルブタゾンおよびその他のような非ステロイド化合物（ＮＳＡＩＤＳ）である。例えばアシクロビル、ガンシクロビルおよびジドブジンのような抗ウイルス剤も適用可能である。種々の抗かび剤（ａｎｔｉｍｙｃｏｔｉｃｓ）も、当分野で用いられる。この例として、クロトリマゾール、フルシトシン、グリセオフルビン、ケトコナゾール、ミコナゾール、ニスタチン、テルビナフィンがある。例えばクロロキン、メフロキン、キニーネのようなアンチプロゾール（ａｎｔｉｐｒｏｚｏａｌ）作用物質は、同等の手段として有効な活性物質であり、さらに、例えばヒッポカエスクリン（ｈｉｐｐｏｃａｅｓｃｕｌｉｎ）のような天然のテルペノイド、バリントゲノール（ｂａｒｒｉｎｇｔｏｇｅｎｏｌ）−Ｃ２１−アンゲレート、１４−デヒロドアグロスチスタチン（ｄｅｈｙｄｒｏａｇｒｏｓｔｉｓｔａｃｈｉｎ）、アグロスケリン（ａｇｒｏｓｋｅｒｉｎ）、アガロスチスタチン（ａｇｒｏｓｔｉｓｔａｃｈｉｎ）、１７−ヒドロキシアグロスチスタチン（ｈｙｄｒｏｘｙａｇｒｏｓｔｉｓｔａｃｈｉｎ）、オヴァトジオライド（ｏｖａｔｏｄｉｏｌｉｄｓ）、４、７−オキシシクロアニソメリック・アシッド（ｏｘｙｃｙｃｌｏａｎｉｓｏｍｅｌｉｃ ａｃｉｄ）、バッカリノイド（ｂａｃｃｈａｒｉｎｏｉｄｓ）Ｂ１、Ｂ２、Ｂ３およびＢ７、トゥベイモシド（ｔｕｂｅｉｍｏｓｉｄｅ）、ブルセノール（ｂｒｕｃｅａｎｏｌ）Ａ、ＢおよびＣ、ブルセアンチノシド（ｂｒｕｃｅａｎｔｉｎｏｓｉｄｅ）Ｃ、ヤダンジオシド（ｙａｄａｎｚｉｏｓｉｄｅｓ）ＮおよびＰ、イソデオキシエレファントピン（ｉｓｏｄｅｏｘｙｅｌｅｐｈａｎｔｏｐｉｎ）、トメンファントピン（ｔｏｍｅｎｐｈａｎｔｏｐｉｎ）ＡおよびＢ、コロナリン（ｃｏｒｏｎａｒｉｎ）Ａ、Ｂ、ＣおよびＤ、ウルソール酸、ヒプタチック酸（ｈｙｐｔａｔｉｃ ａｃｉｄ）Ａ、ゼオリン（ｚｅｏｒｉｎ）、イソ−イリドジャーマナル（ｉｒｉｄｏｇｅｒｍａｎａｌ）、メイテンフォリオル（ｍａｙｔｅｎｆｏｌｉｏｌ）、エフサンチン（ｅｆｆｕｓａｎｔｉｎ）Ａ、エキシサニン（ｅｘｃｉｓａｎｉｎ）ＡおよびＢ、ロンギカウリン（ｌｏｎｇｉｋａｕｒｉｎ） Ｂ、スカルポネアチン（ｓｃｕｌｐｏｎｅａｔｉｎ）Ｃ、カメバウニン（ｋａｍｅｂａｕｎｉｎ）、ロイカメニン（ｌｅｕｋａｍｅｎｉｎ）ＡおよびＢ、１３、１８−デヒドロ−６−α−シネシオイルオキシシャパリン（ｓｅｎｅｃｉｏｙｌｏｘｙｃｈａｐａｒｒｉｎ）、１、１１−ジメトキシカンシン（ｄｉｍｅｔｈｏｘｙｃａｎｔｈｉｎ）−６−オン、１−ヒドロキシ−１１−メトキシカンチン（ｍｅｔｈｏｘｙｃａｎｔｈｉｎ）−６−オン、スコポレティン、タクサマイリン（ｔａｘａｍａｉｒｉｎ）ＡおよびＢ、レジェニロール（ｒｅｇｅｎｉｌｏｌ）、トリプトライド（ｔｒｉｐｔｏｌｉｄｅ）、さらに、シマリン、アポシマリン（ａｐｏ
ｃｙｍａｒｉｎ）、アリストロキア酸、アノプテリン（ａｎｏｐｔｅｒｉｎ）、ヒドロキシアノプテリン（ｈｙｄｒｏｘｙａｎｏｐｔｅｒｉｎ）、アネモニン、プロトアネモニン、ベルベリン、チェリブリン・クロライド（ｃｈｅｌｉｂｕｒｉｎ ｃｈｌｏｒｉｄｅ）、シクトキシン（ｃｉｃｔｏｘｉｎ）、シノコクリン（ｓｉｎｏｃｏｃｕｌｉｎｅ）、ボムブレスタチン（ｂｏｍｂｒｅｓｔａｔｉｎ）ＡおよびＢ、クドライソフラボン（ｃｕｄｒａｉｓｏｆｌａｖｏｎｅ）Ａ、クルクミン、ジヒドロニチジン（ｄｉｈｙｄｒｏｎｉｔｉｄｉｎｅ）、塩化ニチジン（ｎｉｔｉｄｉｎｅ ｃｈｌｏｒｉｄｅ）、１２−β−ヒドロキシプレグナジエン（ｈｙｄｒｏｘｙｐｒｅｇｎａｄｉｅｎ）−３、２０−ジオン、ビロボール（ｂｉｌｏｂｏｌ）、ギンコール（ｇｉｎｋｇｏｌ）、ギンコール酸、ヘレナリン（ｈｅｌｅｎａｌｉｎ）、インジシン（ｉｎｄｉｃｉｎｅ）、インジシン（ｉｎｄｉｃｉｎｅ）−Ｎ−オキシド、ラシオカルピン（ｌａｓｉｏｃａｒｐｉｎｅ）、イノトジオール（ｉｎｏｔｏｄｉｏｌ）、グリコシド１ａ、ポドフィロトキシン、ジャスチシジン（ｊｕｓｔｉｃｉｄｉｎ）ＡおよびＢ、ラレアチン（ｌａｒｒｅａｔｉｎ）、マロテリン（ｍａｌｌｏｔｅｒｉｎ）、マロトクロマノール（ｍａｌｌｏｔｏｃｈｒｏｍａｎｏｌ）、イソブチリルマロトクロマノール（ｉｓｏｂｕｔｙｒｙｌｍａｌｌｏｔｏｃｈｒｏｍａｎｏｌ）、マキロシド（ｍａｑｕｉｒｏｓｉｄｅ）Ａ、マーチャンチン（ｍａｒｃｈａｎｔｉｎ）Ａ、メイタイシン（ｍａｙｔａｎｓｉｎｅ）、リコリジシン（ｌｙｃｏｒｉｄｉｃｉｎ）、マルゲチン（ｍａｒｇｅｔｉｎｅ）、パンクラチスタチン（ｐａｎｃｒａｔｉｓｔａｔｉｎ）、リリオデニン（ｌｉｒｉｏｄｅｎｉｎｅ）、オクソウシンスニン（ｏｘｏｕｓｈｉｎｓｕｎｉｎｅ）、アリストラクタム（ａｒｉｓｔｏｌａｃｔａｍ）−ＡＩＩ、ビスパーセノリジン（ｂｉｓｐａｒｔｈｅｎｏｌｉｄｉｎｅ）、ペリプロコシド（ｐｅｒｉｐｌｏｃｏｓｉｄｅ）Ａ、ガラキノシド（ｇｈａｌａｋｉｎｏｓｉｄｅ）、ウルソール酸、デオキシソロスパミン（ｄｅｏｘｙｐｓｏｒｏｓｐｅｒｍｉｎ）、サイコルビン（ｐｓｙｃｈｏｒｕｂｉｎ）、リシンＡ、サンギナリン、マンウ（ｍａｎｗｕ）ホウィート・アシッド（ｗｈｅａｔ ａｃｉｄ）、メチルソルビフォリン（ｍｅｔｈｙｌｓｏｒｂｉｆｏｌｉｎ）、スファセリアクロメン（ｓｐｈａｔｈｅｌｉａｃｈｒｏｍｅｎ）、スチゾフィリン（ｓｔｉｚｏｐｈｙｌｌｉｎ）、マンソニン（ｍａｎｓｏｎｉｎｅ）、ストレブロシド（ｓｔｒｅｂｌｏｓｉｄｅ）、アカゲリン（ａｋａｇｅｒｉｎｅ）、ジヒロドウサムバレンシン（ｄｉｈｙｄｒｏｕｓａｍｂａｒｅｎｓｉｎｅ）、ヒドロキシウサムバリン（ｈｙｄｒｏｘｙｕｓａｍｂａｒｉｎｅ）、ストリクノペンタミン（ｓｔｒｙｃｈｎｏｐｅｎｔａｍｉｎｅ）、ストリクノフィリン（ｓｔｒｙｃｈｎｏｐｈｙｌｌｉｎｅ）、ウサムバリン（ｕｓａｍｂａｒｉｎｅ）、ウサムバレンシン（ｕｓａｍｂａｒｅｎｓｉｎｅ）、ベルベリン、リリオデニン（ｌｉｒｉｏｄｅｎｉｎｅ）、オクソウシンスニン（ｏｘｏｕｓｈｉｎｓｕｎｉｎｅ）、ダフノレチン（ｄａｐｈｎｏｒｅｔｉｎ）、ラリシレシノール（ｌａｒｉｃｉｒ���ｓｉｎｏｌ）、メトキシラリシレシノール（ｍｅｔｈｏｘｙｌａｒｉｃｉｒｅｓｉｎｏｌ）、シリンガレジノール（ｓｙｒｉｎｇａｒｅｓｉｎｏｌ）、ウンベリフェロン（ｕｍｂｅｌｌｉｆｅｒｏｎ）、アフロモソン（ａｆｒｏｍｏｓｏｎ）、アセチルビスミオン（ａｃｅｔｙｌｖｉｓｍｉｏｎｅ） Ｂ、デスアセチルビスミオン（ｄｅｓａｃｅｔｙｌｖｉｓｍｉｏｎｅ）Ａ、ビスミオン（ｖｉｓｍｉｏｎｅ）ＡおよびＢ、さらに、例えばヒッポカエスクリン（ｈｉｐｐｏｃａｅｓｃｕｌｉｎ）のような天然のテルペノイド、１４−デヒロドアグロスチスタチン（ｄｅｈｙｄｒｏａｇｒｏｓｔｉｓｔａｃｈｉｎ）、アグロスケリン（ａｇｒｏｓｋｅｒｉｎ）、アガロスチスタチン（ａｇｒｏｓｔｉｓｔａｃｈｉｎ）、１７−ヒドロキシアグロスチスタチン（ｈｙｄｒｏｘｙａｇｒｏｓｔｉｓｔａｃｈｉｎ）、オヴァトジオライド（ｏｖａｔｏｄｉｏｌｉｄｓ）、４、７−オキシシクロアニソメリック・アシッド（ｏｘｙｃｙｃｌｏａｎｉｓｏｍｅｌｉｃ ａｃｉｄ）、ヤダンジオシド（ｙａｄａｎｚｉｏｓｉｄｅｓ）ＮおよびＰ、イソデオキシエレファントピン（ｉｓｏｄｅｏｘｙｅｌｅｐｈａｎｔｏｐｉｎ）、トメンファントピン（ｔｏｍｅｎｐｈａｎｔｏｐｉｎ）ＡおよびＢ、コロナリン（ｃｏｒｏｎａｒｉｎ）Ａ、Ｂ、ＣおよびＤ、ウルソール酸、ヒプタチック酸（ｈｙｐｔａｔｉｃ ａｃｉｄ）Ａ、ゼオリン（ｚｅｏｒｉｎ）、イソ−イリドジャーマナル（ｉｒｉｄｏｇｅｒｍａｎａｌ）、メイテンフォリオル（ｍａｙｔｅｎｆｏｌｉｏｌ）、エフサンチン（ｅｆｆｕｓａｎｔｉｎ）Ａ、エキシサニン（ｅｘｃｉｓａｎｉｎ）ＡおよびＢ、ロンギカウリン（ｌｏｎｇｉｋａｕｒｉｎ） Ｂ、スカルポネアチン（ｓｃｕｌｐｏｎｅａｔｉｎ）も同等の手段として有効な活性物質である。